(57)【要約】  本発明は、折り畳み可能なヘッドレスト（１）を有し、特に車の後部座席との使用に適していて、ヘッドレスト（１）を折り畳むことによって確実にヘッドレスト（１）を車のドライバの視野から外へ動かすことができるヘッドレストアセンブリに関する。このヘッドレスト装置は、後部座席を折り畳んだ場合に、特別な機構（１６〜２３）によって、ヘッドレストが後部座席と対応前部座席との間の隙間に入ることができるために、後部座席とそれに取り付けられたヘッドレスト（１）の完全な折り畳みが可能となるようになっている。ヘッドレストをその使用位置（ａ）にロックするために、ロック機構（９）が使用される。このロック機構は、使用者によって容易に解除できると共に、ヘッドレストを使用位置（ａ）に固定できるようにして、力、例えば衝突の場合に発生する大きな力さえも吸収することができるようになっている。
2007534535.tif 000002
【特許請求の範囲】
【請求項１】
回動可能なヘッドレスト（１）と、前記ヘッドレスト（１）が作用位置（ａ）と非作用位置（ｂ）の間で回動可能に取り付けられた支持部（６，７）と、前記ヘッドレスト（１）と連結され、ロック状態において前記ヘッドレスト（１）が前記作用位置（ａ）に保持され、非ロック状態において前記ヘッドレスト（１）が前記非作用位置（ｂ）への移動に対して解放されるように構成されたロック機構（９）と、前記ロック機構（９）を解除するための駆動装置（１０）とを有することを特徴とするヘッドレスト装置。
【請求項２】
請求項１に記載のヘッドレスト装置において、前記ロック機構（９）は、前記ヘッドレスト（１）が前記作用位置（ａ）へ移動された場合に、前記ロック機構（９）が独立して前記ロック状態にされ、それにより前記ヘッドレスト（１）が前記作用位置（ａ）に保持されるように構成されていることを特徴とするヘッドレスト装置。
【請求項３】
請求項１または２に記載のヘッドレスト装置において、前記ロック機構（９）は、ロックピン（１３）と協働する開口部（１２）を有するラッチ（１１）を備え、前記ロック状態においては、前記ロックピン（１３）は前記ラッチ（１１）の前記開口部（１２）と係合するとともに、前記駆動装置（１０）が操作された場合には、前記ロックピン（１３）は前記ラッチ（１１）の前記開口部（１２）から移動されることを特徴とするヘッドレスト装置。
【請求項４】
請求項３に記載のヘッドレスト装置において、前記ロック機構（９）は、前記非ロック状態において前記ロックピン（１３）がバネ付き手段（１４）の力に対抗して保持され、前記ヘッドレスト（１）が前記作用位置（ａ）へ移動された場合には、前記ロックピン（１３）の保持が解除されるので、前記バネ付き手段（１４）の力によって前記ロックピン（１３）が前記ラッチ（１１）の前記開口部（１２）と係合するとともに、前記駆動装置（１０）が操作された場合には、前記ロックピン（１３）が再び前記ラッチ（１１）の前記開口部（１２）から移動され、前記バネ付き手段（１４）の力に対抗して保持されるように構成されていることを特徴とするヘッドレスト装置。
【請求項５】
請求項３または４に記載のヘッドレスト装置において、前記ラッチ（１１）は前記ヘッドレスト（１）に連結されており、前記ロックピン（１３）は前記支持部（６，７）と連結されていることを特徴とするヘッドレスト装置。
【請求項６】
請求項１乃至５のいずれか１項に記載のヘッドレスト装置において、前記ヘッドレスト（１）は、前記支持部（６，７）に対して回転可能に取り付けられたシリンダー（８）に取り付けられていることを特徴とするヘッドレスト装置。
【請求項７】
請求項１乃至６いずれか１項に記載のヘッドレスト装置において、バネ付き手段（１４）は、前記駆動装置（１０）が操作された場合に、前記ヘッドレスト（１）を自動的に前記作用位置（ａ）から前記非作用位置（ｂ）へ移動させるために設けられていることを特徴とするヘッドレスト装置。
【請求項８】
請求項７に記載のヘッドレスト装置において、前記バネ付き手段（１４）は、一方では前記ヘッドレスト（１）と連結され、他方では前記支持部（６，７）と連結されたバネを備えることを特徴とするヘッドレスト装置。
【請求項９】
請求項６および請求項７または８のいずれか１項に記載のヘッドレスト装置において、前記バネは一方では前記シリンダー（８）と連結され、他方では前記支持部（６，７）と連結されていることを特徴とするヘッドレスト装置。
【請求項１０】
請求項１乃至９のいずれか１項に記載のヘッドレスト装置において、前記作用位置（ａ）から前記非作用位置（ｂ）への前記ヘッドレスト（１）の移動を抑制するために制動手段（１５）が設けられていることを特徴とするヘッドレスト装置。
【請求項１１】
請求項１０に記載のヘッドレスト装置において、前記制動手段（１５）は一方では前記ヘッドレスト（１）と連結され、他方では前記支持部（６，７）と連結されていることを特徴とするヘッドレスト装置。
【請求項１２】
請求項１０または１１に記載のヘッドレスト装置において、前記制動手段（１５）は一方では前記シリンダー（８）と連結され、他方では前記支持部（６，７）と連結されていることを特徴とするヘッドレスト装置。
【請求項１３】
請求項１乃至１２のいずれか１項に記載のヘッドレスト装置において、前記駆動装置（１０）は圧力機構を備えることを特徴とするヘッドレスト装置。
【請求項１４】
請求項１乃至１３のいずれか１項に記載のヘッドレスト装置において、前記駆動装置（１０）が操作された場合に、前記非作用位置（ｂ）への前記ヘッドレスト（１）の移動を制限するために、制限手段（２１，２２）が設けられていること特徴とするヘッドレスト装置。
【請求項１５】
請求項１４に記載のヘッドレスト装置において、前記制限手段（２１，２２）は、前記非作用位置（ｂ）にある前記ヘッドレスト（１）が、前記支持部（６，７）に対して、予定の角度（α）をなすように構成されていることを特徴とするヘッドレスト装置。
【請求項１６】
請求項１４または１５に記載のヘッドレスト装置において、前記ヘッドレスト（１）は前記支持部（６，７）に回転可能に取り付けられたシリンダー（８）に取り付けられ、前記シリンダー（８）はその表面から突出した少なくとも一つの突起（２２）を有し、前記突起（２２）は前記シリンダー（８）の周方向に形成された少なくとも一つの凹部（２１）と係合すると共に、その凹部内に取り付けられ、前記凹部（２１）の長手方向の端部は前記シリンダー（８）の対応する突起（２２）のための停止部を形成し、前記シリンダー（８）と同シリンダー（８）に取り付けられた前記ヘッドレスト（１）の回転を制限することを特徴とするヘッドレスト装置。
【請求項１７】
請求項１６に記載のヘッドレスト装置において、前記少なくとも一つの凹部（２１）は対応するリング（１６）の中に設けられ、該リング（１６）は前記シリンダー（８）の周方向に形成されて、前記シリンダー（８）を包囲することを特徴とするヘッドレスト装置。
【請求項１８】
請求項１７に記載のヘッドレスト装置において、前記リング（１６）は前記シリンダー（８）に対して柔軟に取り付けられていることを特徴とするヘッドレスト装置。
【請求項１９】
請求項１７または１８に記載のヘッドレスト装置において、前記リング（１６）は、前記支持部（６，７）と連結された接続手段（１８）を介して、シリンダー（８）に対して所定位置に保持されることを特徴とするヘッドレスト装置。
【請求項２０】
請求項１乃至１９のいずれか１項に記載のヘッドレスト装置において、前記支持部（６，７）が水平面（４）に対して回動可能に取り付けられていることにより、前記支持部（６，７）を前記ヘッドレスト（１）と共に折り畳むことができることを特徴とするヘッドレスト装置。
【請求項２１】
請求項１９または請求項２０に記載のヘッドレスト装置において、前記制限手段（２１，２２）と前記接続手段（１８）は、前記支持部（６，７）を該支持部（６，７）に取り付けられたヘッドレスト（１）と共に折り畳む場合に、前記ヘッドレスト（１）が前記支持部（６，７）に対して予め設定された角度（α’）をなす前記非作用位置（ｂ）に保持されるように構成されていることを特徴とするヘッドレスト装置。
【請求項２２】
請求項２１に記載のヘッドレスト装置において、前記接続手段は、一方ではリング（１６）と連結され、他方では前記支持部（６，７）の回動軸（３）と連結された少なくとも一つのボーデンケーブル装置（２３）からなることを特徴とするヘッドレスト装置。
【請求項２３】
請求項２１または２２に記載のヘッドレスト装置において、前記接続手段は前記少なくとも一つのリング（１６）と前記支持部（６，７）との間を連結することを特徴とするヘッドレスト装置。
【請求項２４】
請求項１乃至２３のいずれか１項に記載のヘッドレスト装置において、当該ヘッドレスト装置は、前記ヘッドレスト（１）が前記非作用位置（ｂ）において前記支持部（６，７）に対して前方へ折り畳まれるように構成されていることを特徴とするヘッドレスト装置。
【請求項２５】
請求項１乃至２４のいずれか１項に記載のヘッドレスト装置を有する座席。
【請求項２６】
請求項２５に記載の座席において、当該座席は車両の後部座席であることを特徴とする座席。
【発明の詳細な説明】
【技術分野】
【０００１】
本発明は回動可能なヘッドレストを有するヘッドレスト装置（Kopfstuezenanordnung, 頭部拘束装置）に関し、車両、好ましくは自動車の後部座席における取り付けのために特に適しているヘッドレスト装置に関する。
【背景技術】
【０００２】
ヘッドレストは自動車の前部座席に使用されており、後部座席にもますます使用されるようになっている。この場合において、それぞれのヘッドレストは２０００Ｎの範囲の予め定義された最小荷重を確実に制止できなければならず、そのような荷重は特に車の衝突の場合に生じうる。このことは、それぞれの座席におけるヘッドレストのそれ相応に確実なロックを必要とする。
【発明の開示】
【発明が解決しようとする課題】
【０００３】
しかしながら、これに対して、ヘッドレストを後部座席に使用した場合、ヘッドレストが車のドライバの視野を遮るという問題が生じ、このような妨害は、特に、対応後部座席に全く人が座っていないために対応ヘッドレストも必要でない場合には、実際には余計なものである。後部座席における使用に伴う更なる問題は、ヘッドレストが後部座席の背もたれに取り付けられるという事実に起因しており、背もたれは、しばしば、トランクと車内の間の通行を可能にするためと、それにより付加的な格納スペースを得るために、折り畳まれるようになっている。しかしながら、背もたれの折り畳みは、背もたれの上端から突出するヘッドレストによって妨げられる。これは、ヘッドレストが車の各前部座席の後ろ側に突き当たってしまうことがあるために、背もたれの完全な折り畳みが可能でないか、相応の努力によってのみ可能であるためである。
【０００４】
そこで、本発明の基本的な目的は、上記問題を解決し、特に自動車の後部座席における使用に適したヘッドレスト装置を提供することにある。
【課題を解決するための手段】
【０００５】
上記目的は、請求項１の特徴を有するヘッドレスト装置によって本発明に従って達成される。それぞれの場合における従属請求項は、本発明の好ましい有益な実施態様を規定する。
【０００６】
本発明に従うヘッドレスト装置は、作用位置と非作用位置の間で支持部に回動可能に取り付けられた回動可能ヘッドレストを備えている。支持部は例えば、特に、車両座席、特に後部座席のフレームに関係したものとすることができる。また、ヘッドレストと連結されたロック機構が設けられる。このロック機構は、ロック状態においてヘッドレストを作用位置に賢固に保持し、非ロック状態においてヘッドレストを非作用位置への移動に対して解放するように構成される。好ましくは簡単な押しボタンまたは同様の形態の駆動装置がロック機構に付与され、前記駆動装置が操作された場合に、ロック機構が解除されることにより、ヘッドレストは非作用位置へ移動され得る。
【０００７】
本発明に従うヘッドレスト装置は、従って、駆動装置を操作することによって対応ヘッドレストを簡単に折り畳むことができるように設けられ、前記駆動装置は特にそれぞれのヘッドレストに個々に付与される。本発明に従うヘッドレスト装置が車の後部座席に取り付けられた場合、使用中でないときのヘッドレストは、それ故、駆動装置を操作することによってドライバの視野から折り畳むことができるので、ヘッドレストはもはやドライバ
の視野を遮ることはない。
【０００８】
ロック機構は特に上記２０００Ｎ基準を確実に満たすように構成され、従って、ロック状態においてヘッドレストを作用位置に確実にロックする。このため、ロック機構は特に、ラッチとロックピンの組合せを有するシートベルトのために使用されるシートベルトロック概念と同様に構成される。ヘッドレストを作用位置へ動かした場合、特に留め金の形状を有することができるロックピンは、ラッチの中に形成された開口部と自動的に係合するので、ラッチの開口部内へのロックピンの係合によって、ヘッドレストは作用位置に確実にロックされる。一方、駆動装置を操作した場合、ロックピンはラッチの開口部から移動されされ、かつ、引き出され、またはそのいずれかであるので、ヘッドレストと支持部の間の相対運動が再び可能である。ラッチはヘッドレスト、特に、支持部に回転可能に取り付けられたシリンダーと連結されることが好ましく、ロックピンは支持部に連結されかつ取り付けられ、またはそのいずれかであるので、ヘッドレストを作用位置へ動かした場合、ラッチは、上記ラッチの開口部内へのロックピンの係合が解除されるように移動される。従って、ロック状態においては、ラッチの移動はロックピンによって妨げられ、非ロック状態においては、ラッチの移動、よって、シリンダーおよびシリンダーに連結されたヘッドレストの少なくともいずれかの移動は可能である。しかしながら、もちろん、原則的には、ラッチを支持部と連結し、ロックピンをヘッドレストおよび上記シリンダーの少なくともいずれかと連結することも考えられる。
【０００９】
ロック機構は、特に、ヘッドレストが作用位置へ移動された場合、好ましくはバネ入りのプレテンションロックピンがラッチの開口部と係合し、予め付された張力の結果として、ロックピンが自動的にラッチの開口部の中へ案内されるように構成されることが好ましい。開始位置において、プレスプラングロックピンは、ラッチが邪魔されずにロックピンを通過できるように保持されており、ラッチの一定位置において、プレスプラングロックピンの保持が解除されるので、これは自動的にラッチの開口部と係合する。一方、駆動装置は、駆動装置が操作された場合に、ロックピンがバネ力に対抗して上記保持位置へ戻されるように構成され、ロック機構と連結されているので、ラッチを再びロック位置からロックピンを過ぎて元へ戻すことができる。
【００１０】
上記ロック機構は、確実にヘッドレストを作用位置に賢固にロックできるのみならず、好ましくは、駆動装置を操作した場合にヘッドレストが作用位置から非作用位置へ自動的に動かされるように、バネ付き手段が設けられることにより、特に簡単な押しボタンによってヘッドレストを折り畳むことを可能にする。同様に、好ましくは、ヘッドレストを作用位置から非作用位置へ移動させたときに、損傷を防ぐためにこの移動を緩和する制動装置を設けることができる。
【００１１】
安全上の理由により、ヘッドレストは、その折り畳み状態において、支持部および対応する座席の背もたれの少なくともいずれかに対して、ヘッドレストが作用位置にない場合には、使用者が各座席に座るのを防止するために、できるだけ不快な状況が各使用者に生じるような位置にあることが望ましい。このため、ヘッドレスト装置は制限手段を有することができ、この制限手段は、駆動装置を操作した場合に、この制限手段が、非作用位置へのヘッドレストの折り畳みが、支持部および水平面などの少なくともいずれかに対して予め設定された角度に制限するので、ヘッドレストが支持部に対する一定角度にある非作用位置において前方へ突出するように構成される。
【００１２】
制限手段はこの場合においても特に、支持部を折り畳む場合に、即ち、対応する背もたれを折り畳む場合に、一定角度が支持部および背もたれの少なくともいずれかに対して保たれるように構成され、特に背もたれを折り畳む場合に、前記角度は、ヘッドレストが、理想的には、対応する後部座席と対応する前部座席の背部との間に設けられた中間隙間の
中に納まることができるように適合される。従って、ヘッドレストによる遮りのない背もたれの完全な折り畳みが可能である。
【００１３】
本発明に従うヘッドレスト装置は、車、特に自動車の後部座席において使用されるのが好ましいが、この好ましい適用範囲に限定されるものではない。
以下に添付図面を参照して本発明を詳細に説明する。
【発明を実施するための最良の形態】
【００１４】
図１に、車両後部座席の背もたれ２に取り付けられたヘッドレスト１を概略的に示す。背もたれ２は、後部座席の布張りシート４に対して回動軸３を中心として回動させることができる。図１において、ヘッドレスト１および背もたれ２の通常作用位置は実線で示されている（図１に示す作用位置ａを参照）。駆動装置（図１に示されていない）の操作によってヘッドレスト１を折り畳むことができ、ヘッドレスト１は作用位置から非作用位置（破線で示される図１の位置ｂを参照）へ移動される。この非作用位置において、背もたれ２のヘッドレスト１は前方へ折り畳まれるため前方へ突出するので、人は対応する車両座席の布張りシート４の上に座ることができない。ヘッドレスト１のこの非作用位置において、ヘッドレスト１はもはや車の前部座席に座っているドライバの視野内にはなく、もはやドライバの視野を遮ることはない。また、ヘッドレスト１と共に背もたれ２を布張りシート４に対して折り畳むことができる。このことは図１の中で同様に破線によって位置ｃで示されている。背もたれ２を折り畳む場合、ヘッドレスト１は、それが布張りシート４と、その車の後部座席の前に配置された前部座席５の背部との間の中間隙間の中にぴったりと納まることができるように、背もたれ２に対して保持されるので、背もたれ２の完全な折り畳みが可能である。この場合における背もたれ２とヘッドレスト１とがなす角度α’は、位置ｂにおいて背もたれ２とヘッドレストとのなす角度αと同じにすることができる。しかしながら、車内の状態によっては、布張りシート４と前部座席５の背中との間の隙間の中にヘッドレスト１が容易に確実に納まるためには、角度αから変更して、角度α’を相応に調節する必要あることもある。
【００１５】
図２に、図１に基づいて上記ヘッドレストの動作を可能にするヘッドレスト装置の好ましい実施態様を示す。このヘッドレスト装置の平面図が図２に示されている。
この場合において、図２に示す背もたれ１はフレームの形状で表されており、このフレームは、基本的に互いに平行な二つの側部円材６と、この二つの側部円材６を互いに連結する背板７とによって形成されている。このように形成されたフレームはヘッドレスト１の支持部として機能する。ヘッドレスト１はシリンダー８に取り付けられ、シリンダー８は、従って、側部円材６に回転可能に取り付けられる。ヘッドレスト１は、以下に詳述するロック機構９によって図１に示す作用位置に保持され、以下に詳述する駆動装置１０の操作によって、ロック解除機構９を解除し、ヘッドレスト１を動かし、かつ、図１に示す非作用位置ｂに折り畳む、または、そのいずれかを行うことができる。
【００１６】
図２に示すロック機構９および同様に図２に示す駆動装置１０を明らかにするために、ヘッドレスト１が取り付けられたシリンダー８の側面図を図３に示す。
図３から明らかなように、開口部１２がその中に形成されたラッチ１１の形状を有する延長部がシリンダー８に取り付けられている。ラッチ１１はまた、図３の拡大図の中で上方から示されている。ヘッドレスト１がシリンダー８と共に、図３のシリンダー８の半時計方向回転に対応する作用位置へ移動されると、ラッチ１１は同時にロックピン１３を通過する。ロックピン１３は、ラッチ１１がロックピン１３に邪魔されずに通過できるように、プレテンションバネ１４の力に対抗して保持される。しかしながら、ラッチ１１がロックピン１３に対する所定の位置に達した場合には、ロックピン１３の保持は適当な機構によって解除されるので、ロックピン１３はプレテンションバネ１４の力によってラッチ１１の開口部１２の中へ自動的に移動され、従ってラッチ１１は確実にロックされる。上
記の所定の相対位置は特に、ラッチ１１の中に形成された開口部１２がロックピン１３と位置合わせされるということによって規定される。図３においてラッチ１１の拡大図に示すように、ロックピン１３をフックのように形成することができ、この場合において、ロックピン１３はラッチ１１の開口部１２にスナップ式でロックするようになっている。それぞれの場合において、ロックピン１３とラッチ１１の開口部１２との間の係合はラッチ１１が対応位置に確実に保持されるようになされるので、ロックピン１３に対するラッチ１１の移動、従って、シリンダー８の回転およびそれに取り付けられたヘッドレスト１の回動の少なくともいずれかは可能ではない。従って、ヘッドレスト１は図１に概略示すように作用位置に確実に保持され、２０００Ｎ以上に達する大荷重を安全に制止することもできる。
【００１７】
駆動装置１０は同様に適切な機構を介してロックピン１３と連結されており、この駆動装置１０を操作した場合、ロックピン１３は再び、プレテンションバネ１４の力に対抗してラッチ１１の開口部１２から移動して、上記保持位置に保たれるようになっているので、結果としてロックピン１３に対するラッチ１１の移動が可能となる。このことは、押しボタンの形態で簡単に構成されることが好ましい駆動装置１０を操作した場合、ヘッドレスト１を図１に示すように作用位置から折り畳み非作用位置ｂへ弧を描くように移動させることができることを意味する。ヘッドレスト装置は、ヘッドレスト１が非作用位置ｂから作用位置ａへ手動で移動され、作用位置ａに達したときにロックピン１３が上記のようにラッチ１１の開口部１２と係合するように構成されることが好ましい。同様に、ヘッドレスト装置は、ロックピン１３とラッチ１１との間の結合が解除された場合、即ち、駆動装置１０が操作された場合、ヘッドレスト１が自動的かつ自発的に、またはそのいずれかで、再び、作用位置ａから非作用位置ｂへ折り曲がるように構成されることが好ましい。
【００１８】
このため、図２に示す実施態様の場合においては、一方ではシリンダー８に連結され、他方では支持部および側部円材６の一つの少なくともいずれかに連結される、プレテンションバネの形態のバネ付き手段１４が設けられている。これらのバネ付き手段１４の力によって、シリンダー８および図１に概略が示されたシリンダー８に取り付けられたヘッドレスト１の少なくともいずれかが非作用位置ｂの方へ押されるので、ロックピン１３とラッチ１１の間の結合が解除されると、シリンダー８とそれに取り付けられたヘッドレスト１は非作用位置ｂへ自動的に移動される。例えば油圧式の制動手段１５がシリンダー８と他の側部円材６の間に設けられ、バネ付き手段１４の力によって生じた非作用位置ｂへの回動運動の緩和および抑制の少なくともいずれかを行うので、穏やかでゆっくりした折り畳み動作が生じる。もちろん、それぞれの場合におけるバネ付き手段１４と制動手段１５は、シリンダー８の両側に対照的に配置することもできる。
【００１９】
ラッチ１１の中に形成された開口部１２内にロックピン１３を係合させることによって、図１に示すヘッドレスト１の作用位置ａが明確に規定される。
非作用位置ｂを規定するために、以下に詳細に述べる別の制限手段が設けられる。
【００２０】
図２と図３からはっきりとわかるように、小さなピン状突起２２がシリンダー８の表面から突出している。これらの突起２２は、凹部２１（図２参照）の中に柔軟に取り付けられ、凹部２１はひいてはリング１６の中に形成される。リング１６は完全にシリンダー８を包囲しており、シリンダー８に対して柔軟に配置されている。凹部２１は従ってシリンダー８の周方向に延びている。シリンダー８はそれに取り付けられたヘッドレスト１と共に、シリンダー８から突出する突起２２がリング１６の凹部２１の長手方向の端部に当接するまで、リング１６に対して折り畳むことができる。突起２２がリング１６の凹部２１の長手方向端部に当接するや否や、リング１６に対するシリンダー８の更なる回転はもはや可能でなくなる。言換すると、図１のヘッドレスト１は、突起２２が凹部２１の長手方向端部に当接するまでしか前方へ折り曲がらず、これにより図１に示す非作用位置ｂが規
定される。
【００２１】
それぞれの場合において、ワイヤー１８がリング１６に賢固に取り付けられており（図２の参照数字１７を参照）、ワイヤー１８は他方では、側部円材６から内側へ突出しているサイドアーム２０にバネ１９を介して固定されている。図２に点線で示すように、ワイヤー１８の他端は、固定点１７からそれぞれのリング１６の表面に沿って背板７へ続いており、そこで背板の中に形成された溝（図示せず）に入って、それから図２に示すようにその下端において再び背板を離れる。次にワイヤー１８はケーブルおよび／またはスリーブ２３を通ってそれぞれの側部円材６の回動軸３へ続き、そこで固定される。ワイヤー１８はそれぞれのスリーブ２３と共にボーデンケーブル装置を形成する。このボーデンケーブル装置は、背もたれ２を該背もたれに取り付けられたヘッドレスト１と共に折り畳むときに、シリンダー８に対するリング１６の位置を適切な方法で適合させて、同様に適切な方法で、シリンダー８の突起２２に対するリング１６の凹部２１の位置関係を調節することを保証する。ヘッドレスト１を回動させ、かつ、シリンダー８を回転させる場合、またはそのいずれかの場合、リング１６に取り付けられたワイヤー１８が、一方ではサイドアーム２０に賢固に固定され、他方では対応ボーデンケーブル装置を介して回動軸３に固定されていることによって、リング１６のねじれが防止される。しかしながら、シリンダー８に対するリング１６の位置は、図１に示すように、上記ボーデンケーブル装置を介して、背もたれ２が折り畳まれる角度によって動的に変化し、その結果、背もたれ２を折り畳む場合も、折り畳み非作用位置ｂにあるヘッドレスト１は背もたれ２と予め定義された角度をなす。背もたれ２を折り畳む場合、ヘッドレスト１と背もたれ２との角度αは、ボーデンケーブル装置２３の支援により、リング１６の対応するねじれによって好ましく適合され、ヘッドレスト１は、対応後部座席の布張りシート４と、対応前部座席５の面との間の図１に示す隙間に邪魔にならずにぴったりと納まることができるようになっている（図１の角度α’を参照）ので、背もたれ２の完全な折り畳みが可能となる。
【図面の簡単な説明】
【００２２】
【図１】本発明に従うヘッドレストとこのヘッドレストに連結された背もたれの折り畳みを説明するための概略図。
【図２】本発明の好ましい実施態様によるヘッドレスト装置の平面図。
【図３】図２に示すヘッドレスト装置のロック機構を説明するための図。
【図１】
2007534535.tif 000003
【図２】
2007534535.tif 000004
【図３】
2007534535.tif 000005
【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
回動可能なヘッドレスト（１）と、前記ヘッドレスト（１）が作用位置（ａ）と非作用位置（ｂ）の間で回動可能に取り付けられた支持部（６，７）と、前記ヘッドレスト（１）と連結され、ロック状態において前記ヘッドレスト（１）が前記作用位置（ａ）に保持され、非ロック状態において前記ヘッドレスト（１）が前記非作用位置（ｂ）への移動に対して解放されるように構成されたロック機構（９）と、前記ロック機構（９）を解除するための駆動装置（１０）とを有するヘッドレスト装置であって、
前記支柱（６，７）は、前記支柱（６，７）を前記ヘッドレスト（１）と共に折り畳むことができるように、水平面（４）に対して回動可能に取り付けられ、
接続手段（１８）が前記ヘッドレスト（１）と前記支柱（６，７）に連結され、
前記接続手段（１８）は、前記支柱（６，７）をそれに取り付けられた前記ヘッドレスト（１）と共に折り畳む場合に、前記ヘッドレスト（１）が前記支柱（６，７）に対する予め設定された角度（α’）にある前記非作用位置（ｂ）に保持される
ことを特徴とするヘッドレスト装置。
【請求項２】
請求項１に記載のヘッドレスト装置において、前記ロック機構（９）は、前記ヘッドレスト（１）が前記作用位置（ａ）へ移動された場合に、前記ロック機構（９）が独立して前記ロック状態にされ、それにより前記ヘッドレスト（１）が前記作用位置（ａ）に保持されるように構成されていることを特徴とするヘッドレスト装置。
【請求項３】
請求項１または２に記載のヘッドレスト装置において、前記ロック機構（９）は、ロックピン（１３）と協働する開口部（１２）を有するラッチ（１１）を備え、前記ロック状態においては、前記ロックピン（１３）は前記ラッチ（１１）の前記開口部（１２）と係合するとともに、前記駆動装置（１０）が操作された場合には、前記ロックピン（１３）は前記ラッチ（１１）の前記開口部（１２）から移動されることを特徴とするヘッドレスト装置。
【請求項４】
請求項３に記載のヘッドレスト装置において、前記ロック機構（９）は、前記非ロック状態において前記ロックピン（１３）がバネ付き手段（１４）の力に対抗して保持され、
前記ヘッドレスト（１）が前記作用位置（ａ）へ移動された場合には、前記ロックピン（１３）の保持が解除されるので、前記バネ付き手段（１４）の力によって前記ロックピン（１３）が前記ラッチ（１１）の前記開口部（１２）と係合するとともに、前記駆動装置（１０）が操作された場合には、前記ロックピン（１３）が再び前記ラッチ（１１）の前記開口部（１２）から移動され、前記バネ付き手段（１４）の力に対抗して保持されるように構成されていることを特徴とするヘッドレスト装置。
【請求項５】
請求項３または４に記載のヘッドレスト装置において、前記ラッチ（１１）は前記ヘッドレスト（１）に連結されており、前記ロックピン（１３）は前記支持部（６，７）と連結されていることを特徴とするヘッドレスト装置。
【請求項６】
請求項１乃至５のいずれか１項に記載のヘッドレスト装置において、前記ヘッドレスト（１）は、前記支持部（６，７）に対して回転可能に取り付けられたシリンダー（８）に取り付けられていることを特徴とするヘッドレスト装置。
【請求項７】
請求項１乃至６いずれか１項に記載のヘッドレスト装置において、バネ付き手段（１４）は、前記駆動装置（１０）が操作された場合に、前記ヘッドレスト（１）を自動的に前記作用位置（ａ）から前記非作用位置（ｂ）へ移動させるために設けられていることを特徴とするヘッドレスト装置。
【請求項８】
請求項７に記載のヘッドレスト装置において、前記バネ付き手段（１４）は、一方では前記ヘッドレスト（１）と連結され、他方では前記支持部（６，７）と連結されたバネを備えることを特徴とするヘッドレスト装置。
【請求項９】
請求項６および請求項７または８のいずれか１項に記載のヘッドレスト装置において、前記バネは一方では前記シリンダー（８）と連結され、他方では前記支持部（６，７）と連結されていることを特徴とするヘッドレスト装置。
【請求項１０】
請求項１乃至９のいずれか１項に記載のヘッドレスト装置において、前記作用位置（ａ）から前記非作用位置（ｂ）への前記ヘッドレスト（１）の移動を抑制するために制動手段（１５）が設けられていることを特徴とするヘッドレスト装置。
【請求項１１】
請求項１０に記載のヘッドレスト装置において、前記制動手段（１５）は一方では前記ヘッドレスト（１）と連結され、他方では前記支持部（６，７）と連結されていることを特徴とするヘッドレスト装置。
【請求項１２】
請求項１０または１１に記載のヘッドレスト装置において、前記制動手段（１５）は一方では前記シリンダー（８）と連結され、他方では前記支持部（６，７）と連結されていることを特徴とするヘッドレスト装置。
【請求項１３】
請求項１乃至１２のいずれか１項に記載のヘッドレスト装置において、前記駆動装置（１０）は圧力機構を備えることを特徴とするヘッドレスト装置。
【請求項１４】
請求項１乃至１３のいずれか１項に記載のヘッドレスト装置において、前記駆動装置（１０）が操作された場合に、前記非作用位置（ｂ）への前記ヘッドレスト（１）の移動を制限するために、制限手段（２１，２２）が設けられ、前記制限手段（２１，２２）は、前記非作用位置（ｂ）にある前記ヘッドレスト（１）が前記支柱（６，７）と予め定義された角度（α）をなすように構成されていること特徴とするヘッドレスト装置。
【請求項１５】
請求項１乃至１４のいずれか１項に記載のヘッドレスト装置において、前記ヘッドレス
ト（１）は前記支持部（６，７）に回転可能に取り付けられたシリンダー（８）に取り付けられ、前記シリンダー（８）はその表面から突出した少なくとも一つの突起（２２）を有し、前記突起（２２）は前記シリンダー（８）の周方向に形成された少なくとも一つの凹部（２１）と係合すると共に、その凹部内に取り付けられ、前記凹部（２１）の長手方向の端部は前記シリンダー（８）の対応する突起（２２）のための停止部を形成し、前記シリンダー（８）と同シリンダー（８）に取り付けられた前記ヘッドレスト（１）の回転を制限することを特徴とするヘッドレスト装置。
【請求項１６】
請求項１５に記載のヘッドレスト装置において、前記少なくとも一つの凹部（２１）は対応するリング（１６）の中に設けられ、該リング（１６）は前記シリンダー（８）の周方向に形成されて、前記シリンダー（８）を包囲することを特徴とするヘッドレスト装置。
【請求項１７】
請求項１６に記載のヘッドレスト装置において、前記リング（１６）は前記シリンダー（８）に対して柔軟に取り付けられていることを特徴とするヘッドレスト装置。
【請求項１８】
請求項１６または１７に記載のヘッドレスト装置において、前記リング（１６）は、前記支持部（６，７）と連結された接続手段（１８）を介して、シリンダー（８）に対して所定位置に保持されることを特徴とするヘッドレスト装置。
【請求項１９】
請求項１８に記載のヘッドレスト装置において、前記接続手段は、一方ではリング（１６）と連結され、他方では前記支持部（６，７）の回動軸（３）と連結された少なくとも一つのボーデンケーブル装置（２３）からなることを特徴とするヘッドレスト装置。
【請求項２０】
請求項１９に記載のヘッドレスト装置において、前記接続手段は前記少なくとも一つのリング（１６）と前記支持部（６，７）との間を連結することを特徴とするヘッドレスト装置。
【請求項２１】
請求項１乃至２０のいずれか１項に記載のヘッドレスト装置において、当該ヘッドレスト装置は、前記ヘッドレスト（１）が前記非作用位置（ｂ）において前記支持部（６，７）に対して前方へ折り畳まれるように構成されていることを特徴とするヘッドレスト装置。
【請求項２２】
回動可能なヘッドレスト（１）と、前記ヘッドレスト（１）が作用位置（ａ）と非作用位置（ｂ）の間で回動可能に取り付けられた支柱（６，７）と、前記ヘッドレスト（１）と接続され、ロック状態において前記ヘッドレスト（１）が前記作用位置（ａ）に保持され、非ロック状態において前記ヘッドレスト（１）が前記非作用位置（ｂ）への移動に対して解放されるように構成されたロック機構（９）と、前記ロック機構（９）を解除するための駆動装置（１０）とを有するヘッドレスト装置において、
前記ロック機構（９）は、ロックピン（１３）と組み合わさった、開口部（１２）を有するラッチ（１１）を備え、ロック状態において前記ロックピン（１３）が前記ラッチ（１１）の開口部（１２）と噛み合う一方、前記駆動装置（１０）が駆動された場合に前記ロックピン（１３）が前記ラッチの開口部（１２）から動かされることを特徴とするヘッドレスト装置。
【請求項２３】
回動可能なヘッドレスト（１）と、前記ヘッドレスト（１）が作用位置（ａ）と非作用位置（ｂ）の間で回動可能に取り付けられた支柱（６，７）と、前記ヘッドレスト（１）と接続され、ロック状態において前記ヘッドレスト（１）が前記作用位置（ａ）に保持され、非ロック状態において前記ヘッドレスト（１）が前記非作用位置（ｂ）への移動に対して解放されるように構成されたロック機構（９）と、前記ロック機構（９）を解除する
ための駆動装置（１０）とを有するヘッドレスト装置において、
前記作用位置（ａ）から前記非作用位置（ｂ）への前記ヘッドレスト（１）の動きを抑制するために制動手段（１５）が設けられていることを特徴とするヘッドレスト装置。
【請求項２４】
請求項１乃至２３いずれか１項に従うヘッドレスト装置を有する座席。
【請求項２５】
請求項２４に従う座席において、当該座席は車の後部座席であることを特徴とする座席。
【請求項２６】
請求項２３または２４に従う座席において、当該座席の背もたれ（２）は前記ヘッドレスト（１）のための支柱（６，７）としてのフレームを備えたことを特徴とする座席。
【国際調査報告】
2007534535.tif 000006
2007534535.tif 000007
2007534535.tif 000008
2007534535.tif 000009
2007534535.tif 000010
2007534535.tif 000011